(57)【特許請求の範囲】
【請求項１】
開閉可能に連結された一対の前後に延びるハサミ本体を有する魚バサミであって、
上記ハサミ本体が、対象物を挟むための前方の挟持部と、人の手が握り操作するための後方の握り部とを有しており、
一方のハサミ本体の挟持部が、左右両側を前後に延びる外壁を有しており、
他方のハサミ本体の挟持部が、左右両側を前後に延びる外壁を有しており、
上記他方の挟持部の左右の外壁が、いずれも内側に傾斜しており、
上記挟持部同士が閉じられたときに、他方のハサミ本体の挟持部の左右の外壁が、上記一方のハサミ本体の挟持部の左右の外壁の内側に嵌合するように構成されている魚バサミ。
【請求項２】
上記一対の挟持部の外壁が、いずれも握り部の左右両側にまで延びており、
他方の握り部の左右の外壁が、一方の握り部の左右の外壁の内側に嵌合するように構成されている請求項１に記載の魚バサミ。
【請求項３】
一対の挟持部の長手方向前端に、互いに対向する挟持部に向けて前端歯が突設されており、
挟持部同士が閉じられたときに、上記前端歯同士が食い違った状態で重なり合うように配置されている請求項１又は２に記載の魚バサミ。
【請求項４】
ハサミ本体のうちの少なくとも上記挟持部が、左右の外壁の内側を、長手方向に延びる補強リブを有しており、
この補強リブ及び上記外壁の各端縁に、前後方向に沿って歯が整列して形成されている請求項１から３のうちのいずれかに記載の魚バサミ。
【請求項５】
上記挟持部同士が閉じられたときに、一方の補強リブに形成された歯と、他方の補強リブに形成された歯とが、互いに食い違った状態で重なり合うように配置されている請求項４に記載の魚バサミ。
【請求項６】
上記補強リブに形成された歯と外壁に形成された歯とが、互いに前後方向逆向きに傾斜している請求項４又は５に記載の魚バサミ。
【請求項７】
一対のハサミ本体が開閉可能となるように、上記握り部の後端近傍を相互に回転可能に連結する支軸と、
連結された一対の握り部の後端同士の間に挿入されたロック部材とを備えており、
このロック部材が、一対のハサミ本体同士を閉状態に規制するロック位置と、ハサミ本体同士の開閉動作を許容する動作位置とに進退させられうる請求項１から６のうちのいずれかに記載の魚バサミ。
【発明の詳細な説明】
【技術分野】
【０００１】
本発明は魚バサミに関する。詳細には、例えば、魚釣りや鮮魚店等において生の魚を挟んで保持したり搬送したりするための魚バサミに関する。
【背景技術】
【０００２】
活きた魚を人の手で掴むのは容易ではない。とくに、ヒレやトゲに毒性を有する魚、体の表面から粘液を多く分泌する魚は、なおさら掴みにくい。このような場合に、魚バサミが用いられる。この魚バサミの基本的な構造は、普通の紙バサミと同様、支軸によって二本のハサミ本体が相互に回転可能に連結されたものである。ハサミ本体の支軸より後方部分（以下、握り操作部という）が使用者によって握られることにより、支軸より前端側部分（以下、挟持部という）によって魚が挟持される。紙バサミとの基本的な相違は、挟持部に、長手方向に沿って刃が形成されていないことである。刃に代えて多数の歯が整列している魚バサミもある。この多数の歯によって魚が滑り落ちることなく把持されうる。
【０００３】
例えば、特開２００８−２１１９８６公報に開示された釣り用バサミは、支軸より前端側の挟持部に刃も歯も形成されていない。挟持部は、魚を挟みやすいように、大きな曲率半径の円弧状の凹部となるように形成されている。一方、特開平６−３２８３６７号公報に開示されたはさみ器具も、魚を挟持するためのものである。この公報には、一対の挟持部のうちの一方にのみ歯が形成されたハサミ器具（図１）、及び、両挟持部ともに歯が形成されたハサミ器具（図５及び図６）が開示されている。
【０００４】
通常、魚バサミは、閉じられた状態でバッグ等に収納され、使用者等によって携行される。上記いずれの公報に開示された魚バサミも、閉じられたときには少なくとも前端部同士が当接し合う。挟持部同士は、その当接したときの位置以上には相互に接近し得ない。その結果、魚バサミは収納や携行に便利なコンパクトな形状とはなり得ない。
【先行技術文献】
【特許文献】
【０００５】
【特許文献１】特開２００８−２１１９８６公報
【特許文献２】特開平６−３２８３６７号公報
【発明の概要】
【発明が解決しようとする課題】
【０００６】
本発明は、以上の現状に鑑みてなされたものであり、収納や携行に便利なコンパクトな外形になりうる魚バサミを提供することを目的としている。
【課題を解決するための手段】
【０００７】
本発明に係る魚バサミは、
開閉可能に連結された一対の前後に延びるハサミ本体を有する魚バサミであって、
上記ハサミ本体が、対象物を挟むための前方の挟持部と、人の手が握り操作するための後方の握り部とを有しており、
一方のハサミ本体の挟持部が、左右両側を前後に延びる外壁を有しており、
上記挟持部同士が閉じられたときに、他方のハサミ本体の挟持部が、上記左右の外壁の内側に嵌合するように構成されている。
【０００８】
かかる構成の魚バサミは、ハサミ本体が閉じられると、他方のハサミ本体の挟持部が一方のハサミ本体の左右の外壁の内側に嵌合されるので、携行や収納に便利なコンパクトな外形状となる。
【０００９】
上記他方のハサミ本体の挟持部が、左右両側を前後に延びる外壁を有し、この他方の挟持部の左右の外壁が、上記一方の挟持部の左右の外壁の内側に嵌合するように構成されていてもよい。
【００１０】
上記他方の挟持部の左右の外壁がいずれも内側に傾斜しているのが、上記嵌合が容易になされうるので好ましい。
【００１１】
上記一対の挟持部の外壁が、いずれも握り部の左右両側にまで延びており、他方の握り部の左右の外壁が、一方の握り部の左右の外壁の内側に嵌合するように構成されていてもよい。
【００１２】
一対の挟持部の長手方向前端に、互いに対向する挟持部に向けて前端歯が突設されており、挟持部同士が閉じられたときに、上記前端歯同士が、当接し合わずに食い違った状態で重なり合うように配置されているのが好ましい。上記嵌合が容易となるからである。
【００１３】
ハサミ本体のうちの少なくとも上記挟持部が、左右の外壁の内側を、長手方向に延びる補強リブを有し、この補強リブ及び上記外壁の各端縁に、前後方向に沿って歯が整列して形成されていてもよい。
【００１４】
上記挟持部同士が閉じられたときに、一方の補強リブに形成された歯と、他方の補強リブに形成された歯とが、互いに食い違った状態で重なり合うように配置されているのが好ましい。上記嵌合が容易となるからである。歯が互いに食い違った状態で重なり合うとは、例えば、図３に示されるように、ハサミ本体の前後方向に食い違う構成（図３（ａ））も、ハサミ本体の幅方向に食い違う構成（図３（ｂ））も含む。
【００１５】
上記補強リブに形成された歯と外壁に形成された歯とは、対象物をしっかりと挟持する観点から、互いに前後方向逆向きに傾斜しているのが好ましい。
【００１６】
一対のハサミ本体が開閉可能となるように、上記握り部の後端近傍を相互に回転可能に連結する支軸と、
連結された一対の握り部の後端同士の間に挿入されたロック部材とを備えており、
このロック部材が、一対のハサミ本体同士を閉状態に規制するロック位置と、ハサミ本体同士の開閉動作を許容する動作位置とに進退させられるように構成されていてもよい。
【発明の効果】
【００１７】
本発明に係る魚バサミは、そのハサミ本体が閉じられると、携行や収納に便利なコンパクトな外形状となる。
【図面の簡単な説明】
【００１８】
【図１】図１は本発明に係る魚バサミの一実施形態を示す正面図である。
【図２】図２は図１の魚バサミの組み立て前斜視図である。
【図３】図３（ａ）は図１の魚バサミのIII−III線断面図であり、図３（ｂ）は本発明に係る魚バサミの他の実施形態を示す横断面図であり、図１のIII−III線断面図に相当する図である。
【図４】図４（ａ）は図１の魚バサミの一方のハサミ本体（上部本体）の正面図であり、図４（ｂ）は底面図である。
【図５】図５（ａ）は図１の魚バサミの他方のハサミ本体（下部本体）の平面図であり、図５（ｂ）は正面図である。
【図６】図６（ａ）は、図１の魚バサミに装備されたロック部材が動作位置にあり、且つハサミ本体が開いている状態を示す一部断面図であり、図６（ｂ）は上記ロック部材が動作位置にあり、且つハサミ本体が閉じている状態を示す一部断面図であり、図６（ｃ）は上記ロック部材がそのロック位置にある状態（ハサミ本体は全閉状態）を示す一部断面図である。
【発明を実施するための形態】
【００１９】
以下、適宜図面が参照されつつ、好ましい実施形態に基づいて本発明が詳細に説明される。
【００２０】
図１から図５に示された魚バサミ１は、一対の前後に延びるハサミ本体２Ｕ、２Ｌを有している。一方のハサミ本体２Ｕを上部本体２Ｕとも呼び、他方のハサミ本体２Ｌを下部本体２Ｌとも呼ぶこととする。しかし、この魚バサミ１は、いずれのハサミ本体２Ｕ、２Ｌが上に位置した状態で用いられてもよい。ハサミ本体２Ｕ、２Ｌは、ＰＡ（ポリアミド）にグラスファイバーを加えたもの、ＡＢＳ樹脂（アクリルニトリル−ブタジエン−スチレン樹脂）にグラスファイバーを加えたもの、ＰＯＭ（ポリアセタール）にグラスファイバーを加えたもの、ＰＡにカーボンファイバーを加えたもの等から形成されている。しかし、かかる材質には限定されない。これらハサミ本体２Ｕ、２Ｌは、その後端部近傍において、支軸３によって相互に回転可能に連結されている。ハサミ本体２Ｕ、２Ｌ同士は、この支軸３を支点として開閉させられる。
【００２１】
図１においては、ハサミ本体２Ｕ、２Ｌ同士の開いた状態が実線で示され、閉じた状態が二点鎖線で示されている。本実施形態の魚バサミ１は、ハサミ本体２Ｕ、２Ｌ同士の全開角度αが約３０°となるように構成されている。しかし、かかる開度には限定されない。各ハサミ本体２Ｕ、２Ｌは、前部に位置する挟持部４Ｕ、４Ｌと、後部に位置する握り部５Ｕ、５Ｌとを有している。挟持部４Ｕ、４Ｌは魚等を挟むための部位であり、握り部５Ｕ、５Ｌは人の手が握り操作するための部位である。
【００２２】
図２から図５に示されるように、上下のハサミ本体２Ｕ、２Ｌは、いずれも船型に形成されている。上部本体２Ｕは、長尺の天板６と、天板６の左右の両側縁に沿って形成された外壁８Ｕとを有している。下部本体２Ｌは、長尺の底板７と、底板７の左右の両側縁に沿って形成された外壁８Ｌとを有している。いずれのハサミ本体２Ｕ、２Ｌも、前後方向の中心線に関して左右対称の形状を有している。
【００２３】
上部の各外壁８Ｕのうち挟持部４Ｕの範囲には、その下端縁に沿って多数の歯９Ｕが形成されている。下部の各外壁８Ｌのうちの挟持部４Ｌの範囲にも、その上端縁に沿って多数の歯９Ｌが形成されている。これらの歯９Ｕ、９Ｌは、全て側面視が三角形を呈しており、全て各ハサミ本体２Ｕ、２Ｌの後方に向けて傾斜している。上部の外壁８Ｕの下端縁、及び、下部の外壁８Ｌの上端縁は、ともに挟持部４Ｕ、４Ｌの範囲では、大きな曲率半径の円弧状の凹状にされている。魚を挟持しやすくするためである。
【００２４】
図２に示されるように、上記支軸３回りにはねじりバネ１０が装着されている。このねじりバネ１０は、上下のハサミ本体２Ｕ、２Ｌが、支軸３を支点として、互いに開く方向に付勢するように装着されている。連結された上下の握り部５Ｕ、５Ｌの後端（ハサミ本体２Ｕ、２Ｌの後端）同士の間にロック部材１１が挿入されている。このロック部材１１は、ハサミ本体２Ｕ、２Ｌ同士を全閉状態に規制するロック位置Ｌと、開閉動作を許容する動作位置Ｆとに進退させられうる。このロック部材１１の詳細については後述する。
【００２５】
図２、図４及び図５に示されるように、上下のハサミ本体２Ｕ、２Ｌにはそれぞれ補強リブ１２Ｕ、１２Ｌが形成されている。いずれの補強リブ１２Ｕ、１２Ｌも、外壁８Ｕ、８Ｌで囲まれた内部に、上下のハサミ本体２Ｕ、２Ｌの各長手方向の中心線に沿って形成されている。その結果、ハサミ本体２Ｕ、２Ｌは、その横断面がほぼＥ字状となる形状を有している（図３参照）。補強リブは、握り部５Ｕ、５Ｌの後端から所定の範囲には形成されていない。これは、握り部５Ｕ、５Ｌの後端から挿入されるロック部材１１との干渉を回避するためである。従って、この範囲では、握り部５Ｕ、５Ｌの横断面はほぼコ字状となっている。
【００２６】
上部本体２の補強リブ１２Ｕの下端縁、及び、下部本体２Ｌの補強リブ１２Ｌの上端縁には、それぞれ多数の歯１３Ｕ、１３Ｌが形成されている。これらの歯１３Ｕ、１３Ｌは、全て側面視が三角形を呈しており、全て各ハサミ本体２Ｕ、２Ｌの前方に向けて傾斜している。すなわち、補強リブ１２Ｕ、１２Ｌの歯１３Ｕ、１３Ｌは、上記外壁８Ｕ、８Ｌの歯９Ｕ、９Ｌとは逆の方向に傾斜している。これにより、この魚バサミ１によって挟持された魚は、前後いずれの方向にも滑りにくく、しっかりと把持されうる。補強リブの歯１３Ｕ、１３Ｌが後方に傾斜し、外壁の歯９Ｕ、９Ｌが前方に傾斜していてもよい。
【００２７】
図３に示されるように、上部本体２Ｕの幅は下部本体２Ｌの幅より大きい。上下の外壁８Ｕ、８Ｌは互いにほぼ相似形状に延在している。上下の本体２Ｕ、２Ｌ同士が閉じたときには、下部本体の左右の外壁８Ｌが、上部本体の左右の外壁８Ｕの内側に嵌合する。従って、上下の外壁の歯９Ｕ、９Ｌ同士は当接しない。上下の外壁８Ｕ、８Ｌ同士が嵌合することにより、魚バサミ１はコンパンクトな形状となる。この嵌合が容易になされるように、下部本体の左右の外壁８Ｌが、内側にわずかに傾斜している。この嵌合が容易になされるように、以下のとおり、上下の補強リブの歯１３Ｕ、１３Ｌは、互いに当接し合わないように、食い違った状態で重なり合うように構成されている。
【００２８】
図３（ａ）に示されるように、上下の補強リブ１２Ｕ、１２Ｌは、幅方向に一致する位置に形成されていてもよい。この場合、上下の補強リブの歯１３Ｕ、１３Ｌは、歯のピッチが大きくされるとともに、上下の歯１３Ｕ、１３Ｌが、前後方向に互いに半ピッチずれた位置に形成されているのが好ましい。その結果、ハサミ本体２Ｕ、２Ｌ同士が閉じたときに、上下の歯１３Ｕ、１３Ｌ同士は、互いの歯と歯の間に位置することになる。
【００２９】
図３（ｂ）に示されるように、上下の補強リブ１２Ｕ、１２Ｌが、幅方向に一致しない位置に形成されているのも好ましい。この場合、ハサミ本体２Ｕ、２Ｌ同士が閉じたときに、上下の歯１３Ｕ、１３Ｌ同士が互いに干渉することがない。これらの構成により、上下の外壁８Ｕ、８Ｌ同士が容易に深く嵌合し、魚バサミ１はコンパンクトな形状となる。
【００３０】
図１に示されるように、各挟持部４Ｕ、４Ｌの前端には、互いに対向する挟持部４Ｌ、４Ｕに向けて前端歯１４Ｕ、１４Ｌが突設されている。この前端歯１４Ｕ、１４Ｌは、挟持部４Ｕ、４Ｌ同士が閉じられたときに、当接し合うことなく互いに食い違った状態で重なり合うように形成されている。かかる構成により、ハサミ本体２Ｕ、２Ｌは、閉じたときに互いに一層接近し合い、魚バサミ１がコンパクトな形状となる。
【００３１】
上下の外壁８Ｕ、８Ｌは、歯９Ｕ、９Ｌが形成されている挟持部４Ｕ、４Ｌの範囲では背が高くされている。上下の挟持部４Ｕ、４Ｌともに、前端歯１４Ｕ、１４Ｌの後方に隣接して、外壁８Ｕ、８Ｌが極めて低くされた部分が設けられている。この部分により、挟持部４Ｕ、４Ｌ同士が閉じられたときに、挟持部４Ｕ、４Ｌの左右の両側面に窓部１６が形成される。窓部１６の形成により、例えば、以下のような利点が得られる。前端歯１４Ｕ、１４Ｌによって容易に小さな魚の口を掴むことができる。また、前端歯１４Ｕ、１４Ｌがバッグや壁等に設けられたぶら下げ用のリングに係合した状態で、挟持部４Ｕ、４Ｌ同士が閉じられ、且つ、ロック部材１６によってロックされることにより、この魚バサミ１が容易に保持されうる。
【００３２】
図１、図４及び図５に示されるように、握り部５Ｕ、５Ｌの後端近傍の外壁８Ｕ、８Ｌが高くされている。外壁８Ｕ、８Ｌのこの範囲を拡張壁部１５Ｕ、１５Ｌと呼ぶ。ハサミ本体２Ｕ、２Ｌが閉じられるときには、この上下の拡張壁部１５Ｕ、１５Ｌ同士も嵌合する。拡張壁部１５Ｕ、１５Ｌは支軸３に隣接している。従って、ハサミ本体２Ｕ、２Ｌ同士が開閉させられるとき、そのほとんどの動作範囲で、上下の拡張壁部１５Ｕ、１５Ｌ同士が重なり合っている。これにより、ハサミ本体２Ｕ、２Ｌは、開閉させられるときに、幅方向に位置ずれしたり、ぐらつくことが防止される。その結果、挟持部の歯９Ｕ、９Ｌ、１３Ｕ、１３Ｌ同士が当接し合うことなく、外壁８Ｕ、８Ｌ同士及び補強リブ１２Ｕ、１２Ｌ同士がスムーズに嵌合する。この拡張壁部１５Ｕ、１５Ｌは、いわば案内部である。拡張壁部１５Ｕ、１５Ｌは、ハサミ本体２Ｕ、２Ｌ同士の全閉から全開までの全範囲において重なり合うように形成されるのが好ましい。本実施形態では、挟持部４Ｕ、４Ｌの先端近傍、及び、握り部５Ｕ、５Ｌの範囲は、他の部位に較べて外壁８Ｕ、８Ｌの高さが低くされている。しかし、ハサミ本体２Ｕ、２Ｌの全長にわたって、外壁８Ｕ、８Ｌの高さが高くされていてもよい。
【００３３】
上部本体２Ｕの天板６の上面、及び、下部本体２Ｌの底板７の下面には、それぞれ、その前後になだらかな斜面を有する凸部１７Ｕ、１７Ｌが形成されている。本実施形態では、上部本体の凸部１７Ｕは、下部本体の凸部１７Ｌよりもやや前方に位置している。かかる形状により、握り部５Ｕ、５Ｌに対する使用者の親指の位置及び人差し指の位置が安定する。その結果、使用者は握り部５Ｕ、５Ｌをしっかりと握ることができる。
【００３４】
図２及び図６を参照しつつ、前述のロック部材１１を説明する。各握り部５Ｕ、５Ｌの後端の横断面はほぼコ字状を呈している。連結された握り部５Ｕ、５Ｌの後端には横断面が矩形の開口が形成される。握り部５Ｕ、５Ｌの後端は、支軸３よりわずかに後方に位置している。従って、ハサミ本体２Ｕ、２Ｌが開いたときは上記開口の高さ寸法は小さく（図６（ａ））、閉じたときは開口の高さ寸法は大きくなる（図６（ｂ）、（ｃ））。閉じたときの開口の高さ寸法は、後述するロック部材１１の直方体状の挿入部１８の厚さにほぼ等しい。また、閉じたとき、握り部５Ｕ、５Ｌの後端近傍の上下の内面２６、２７、すなわち、天板６の内面２６（図４）と底板７の内面２７（図５）とはほぼ平行になる。
【００３５】
ロック部材１１は、この開口から握り部５Ｕ、５Ｌの内部に挿入される直方体形状の挿入部１８と、この挿入部１８に連続して形成された摘み部１９とを有している。挿入部１８には、前述したねじりバネ１０を装着するための縦スリット２０が形成されている。挿入部１８には長孔２１が形成されている。前述の支軸３が、この長孔２１に貫入したうえハサミ本体２Ｕ、２Ｌに取り付けられている。ロック部材１１はこの支軸３によって係止されているため、抜け落ちることはない。長孔２１の長径は、ほぼロック部材１１の操作時の進退可能距離を規定している。挿入部１８の上下の平行面２２から連続して、摘み部１９に向けて互いに接近する上下の傾斜面（テーパ面）２３が形成されている。
【００３６】
図６（ａ）は、ロック部材の挿入部１８が握り部５Ｕ、５Ｌ内に完全に挿入された状態を示している。この状態では、摘み部１９が握り部５Ｕ、５Ｌの後端にほぼ当接する位置に至っている。この位置は、ロック部材１１の動作位置Ｆのうちの一つである。この動作位置Ｆでは、ハサミ本体２Ｕ、２Ｌは、握り部５Ｕ、５Ｌの後端がロック部材１１の傾斜面２３に規制されるまで開くことができる。ハサミ本体２Ｕ、２Ｌが開くと、後端の開口の高さ寸法は小さくなる。しかし、当接するロック部材１１の傾斜面２部分の厚さも小さくなる。動作位置Ｆでは、もちろん、ハサミ本体２Ｕ、２Ｌは閉じることができる（図６（ｂ））。閉じる方向には、握り部５Ｕ、５Ｌは傾斜面２３や平行面２２によって規制されないからである。図６（ｂ）は図６（ａ）と同じ動作位置Ｆを示している。
【００３７】
図６（ｃ）は、挿入部１８が握り部５Ｕ、５Ｌ内からわずかに露出するまで引き出された状態を示している。この状態では、握り部５Ｕ、５Ｌの後端近傍の上下の内面が、挿入部１８の上下の平行面２２に面接触している。この位置をロック部材１１のロック位置Ｌという。ロック位置Ｌでは、ハサミ本体２Ｕ、２Ｌは閉じた状態で拘束され、開くことができない。すなわち、握り部５Ｕ、５Ｌの後端が挿入部１８の上下の平行面２２に規制されるので、ハサミ本体２Ｕ、２Ｌは開くことができない。
【００３８】
図示されていないが、ロック部材１１は、図６（ａ）及び図６（ｂ）に示された動作位置Ｆと、図６（ｃ）に示されたロック位置Ｌとの間の任意の位置でロック作用を奏しうる。この中間位置も動作位置Ｆである。すなわち、ロック部材１１の位置を調節することにより、全開角度（本実施形態では３０°）と全閉角度（本実施形態では０°）との間の任意の角度でロックすることができる。具体的には、挟持部４Ｕ、４Ｌが魚を挟持した状態で、ロック部材１１の摘み部１９が後方に引かれる。そうすると、ハサミ本体２Ｕ、２Ｌは、挟持部４Ｕ、４Ｌが魚を挟持した状態から開動作が規制される。ロック部材１１が後方に引かれることにより、握り部５Ｕ、５Ｌの後端がロック部材１１の傾斜面２３に当接し、ハサミ本体２Ｕ、２Ｌが開方向には回転し得ないからである。このように、この魚バサミ１は、魚の大きさに対応した開度においてロックされうる。換言すれば、図６（ａ）が示す位置と図６（ｃ）が示す位置との間のロック部材１１の位置に応じて、ハサミ本体２Ｕ、２Ｌの最大開度が連続的に変化する。
【００３９】
以上の実施形態では、ハサミ本体２Ｕ、２Ｌが、その後端近傍（握り部５Ｕ、５Ｌの後端近傍）で支軸３によって連結されている。しかし、かかる構成には限定されない。例えば、ハサミ本体同士がその中間部分で交差し、この交差部が支軸によって連結されていてもよい。この場合、ハサミ本体の、連結部の前方が挟持部であり、連結部の後方が握り部となる。この場合でも、一方のハサミ本体の幅より他方のハサミ本体の幅が小さくされることにより、閉じられたときに、一方のハサミ本体の外壁の内方に他方のハサミ本体が嵌合するように構成することができる。かかる構造の場合には、上記ロック部材１１は採用されない。
【産業上の利用可能性】
【００４０】
本発明に係る魚バサミは、大小様々な魚を対象にすることができ、しかも、魚釣りはもとより、鮮魚店での使用にも好適である。
【符号の説明】
【００４１】
１・・・魚バサミ
２Ｕ、２Ｌ・・・ハサミ本体
３・・・支軸
４Ｕ、４Ｌ・・・挟持部
５Ｕ、５Ｌ・・・握り部
６・・・天板
７・・・底板
８Ｕ、８Ｌ・・・外壁
９Ｕ、９Ｌ・・・（外壁の）歯
１０・・・ねじりバネミ
１１・・・ロック部材
１２Ｕ、１２Ｌ・・・補強リブ
１３Ｕ、１３Ｌ・・・（補強リブの）歯
１４Ｕ、１４Ｌ・・・前端歯
１５Ｕ、１５Ｌ・・・拡張壁部
１６・・・窓部
１７Ｕ、１７Ｌ・・・凸部
１８・・・挿入部
１９・・・つまみ部
２０・・・縦スリット
２１・・・長孔
２２・・・平行面
２３・・・傾斜面
２６・・・（天板の後端部の）内面
２７・・・（底板の後端部の）内面
【図１】
0005796958.tif 000002
【図２】
0005796958.tif 000003
【図３】
0005796958.tif 000004
【図４】
0005796958.tif 000005
【図５】
0005796958.tif 000006
【図６】
0005796958.tif 000007